(57)【要約】【課題】ベースバンド処理回路に入力される二つのベースバンド信号のレベルを等しくしてビットエラーを少なくする。【解決手段】高周波信号が入力される第一及び第二のミキサ２、３と、第一のミキサ２と第二のミキサ３とに位相が互いに直交する局部発振信号を供給する発振器４と、第一及び第二のミキサ２、３からそれぞれ出力されるベースバンド信号を処理するベースバンド処理回路８とを備え、第一及び第二のミキサ２、３の前段に、第一のミキサ２に入力される高周波信号と第二のミキサ３に入力される高周波信号との相対的なレベルを変えてベースバンド処理回路８に入力される二つのベースバンド信号を互いに同レベルに補正するためのレベル差補正回路１を設けた。【選択図】        図１
2004289338.tif 000002
【特許請求の範囲】
【請求項１】
高周波信号が入力される第一及び第二のミキサと、前記第一のミキサと前記第二のミキサとに位相が互いに直交する局部発振信号を供給する発振器と、前記第一及び第二のミキサからそれぞれ出力されるベースバンド信号を処理するベースバンド処理回路とを備え、前記第一及び第二のミキサの前段に、前記第一のミキサに入力される前記高周波信号と前記第二のミキサに入力される前記高周波信号との相対的なレベルを変えて前記ベースバンド処理回路に入力される前記二つのベースバンド信号を互いに同レベルに補正するためのレベル差補正回路を設けたことを特徴とする直接変換回路。
【請求項２】
前記ベースバンド処理回路からは前記ベースバンド処理回路に入力される前記二つのベースバンド信号のレベル差に対応したレベル補正電圧を出力し、前記レベル補正電圧を前記レベル差補正回路に入力したことを特徴とする請求項１に記載の直接変換回路。
【請求項３】
前記レベル差補正回路は差動接続されると共にベース間に高周波信号が入力される第一及び第二のトランジスタと、エミッタが前記第一のトランジスタのコレクタに接続された第三及び第四のトランジスタと、エミッタが前記第二のトランジスタのコレクタに接続された第五及び第六のトランジスタとを有し、前記第三乃至第六のトランジスタの各コレクタにそれぞれ負荷抵抗を接続し、前記第一及び第三のトランジスタの各コレクタから出力される高周波信号を前記第一のミキサに入力すると共に、前記第二及び第四のトランジスタの各コレクタから出力される高周波信号を前記第二のミキサに入力し、前記第三及び第六のトランジスタの各ベースと前記第四及び第五のトランジスタの各ベースとの間に前記レベル補正電圧を入力したことを特徴とする請求項２に記載の直接変換回路。
【発明の詳細な説明】
【０００１】
【発明の属する技術分野】
本発明はミキサ回路から直接ベースバンド信号を出力する直接変換回路に関する。
【０００２】
【従来の技術】
従来の直接変換回路を図３によって説明する。アンテナ１０１により受信された受信信号１３１はミキサ１０３、１０４に入力され、一方、局部発振信号１３２が入力された移相器１０２からはＣｏｓ波１３３とＳｉｎ波１３４が出力され、それぞれミキサ１０３、１０４に入力される。ミキサ１０３では、受信信号１３１とＣｏｓ波３３がミキシングされダウンコンバートされて信号１３５が出力され、ミキサ１０４では、受信信号１３１とＳｉｎ波１３４がミキシングされダウンコンバートされて信号１３６が出力される。
【０００３】
次に、信号１３５及び１３６はそれぞれＡＣカップリング１０５、１０６により直流オフセットを除去され、信号１３７及び１３８として出力され、ローパスフィルタ１０７、１０８で不要周波数成分が除去されて信号１３９、１４０として出力される。さらに、信号１３９、１４０は増幅器１０９、１１０によりそれぞれ所定のレベルに増幅され、その出力信号１４１、１４２はアナログルートナイキストフィルタ１１１、１１２により波形整形され、それぞれ波形整形されたベースバンドＩ信号１４３及びベースバンドＱ信号１４４が得られる。そのベースバンドＩ信号１４３及びベースバンドＱ信号１４４はそれぞれＡ／Ｄ変換器１１３、１１４によりデジタル信号に変換され、それぞれ信号１４５、１４６が得られる（例えば、特許文献１参照。）。
【０００４】
【特許文献１】
特開平０９−１６８０３７号公報（図３）
【０００５】
【発明が解決しようとする課題】
上記の従来の構成では一方のミキサ１０３と他方のミキサ１０４とに入力される受信信号にレベル差が無くても、例えば、一方のミキサ１０３の変換利得と他方のミキサ１０４の変換利得にさがあり、同様に、一方の増幅器１０９の利得と他方の増幅器１１０の利得に差が有ると、一方のＡ／Ｄ変換器１１３に入力されるベースバンドＩ信号のレベルと他方のＡ／Ｄ変換器１１４に入力されるベースバンドＱ信号との間にレベル差が生じる。このような状態でそれぞれのＡ／Ｄ変換器によってベースバンド信号をデジタル信号に変換すると、ビットエラーが発生する。
【０００６】
本発明は、ベースバンド処理回路に入力される二つのベースバンド信号のレベルを等しくしてビットエラーを少なくすることを目的とする。
【０００７】
【課題を解決するための手段】
上記の課題を解決するため、本発明の直接変換回路は、高周波信号が入力される第一及び第二のミキサと、前記第一のミキサと前記第二のミキサとに位相が互いに直交する局部発振信号を供給する発振器と、前記第一及び第二のミキサからそれぞれ出力されるベースバンド信号を処理するベースバンド処理回路とを備え、前記第一及び第二のミキサの前段に、前記第一のミキサに入力される前記高周波信号と前記第二のミキサに入力される前記高周波信号との相対的なレベルを変えて前記ベースバンド処理回路に入力される前記二つのベースバンド信号を互いに同レベルに補正するためのレベル差補正回路を設けた。
【０００８】
また、前記ベースバンド処理回路からは前記ベースバンド処理回路に入力される前記二つのベースバンド信号のレベル差に対応したレベル補正電圧を出力し、前記レベル補正電圧を前記レベル差補正回路に入力した。
【０００９】
また、前記レベル差補正回路は差動接続されると共にベース間に高周波信号が入力される第一及び第二のトランジスタと、エミッタが前記第一のトランジスタのコレクタに接続された第三及び第四のトランジスタと、エミッタが前記第二のトランジスタのコレクタに接続された第五及び第六のトランジスタとを有し、前記第三乃至第六のトランジスタの各コレクタにそれぞれ負荷抵抗を接続し、前記第一及び第三のトランジスタの各コレクタから出力される高周波信号を前記第一のミキサに入力すると共に、前記第二及び第四のトランジスタの各コレクタから出力される高周波信号を前記第二のミキサに入力し、前記第三及び第六のトランジスタの各ベースと前記第四及び第五のトランジスタの各ベースとの間に前記レベル補正電圧を入力した。
【００１０】
【発明の実施の形態】
図１及び図２に従って本発明の直接変換回路を説明する。先ず図１において、図示しないアンテナで受信された高周波信号（ＲＦ信号）はレベル補正回路１を介して第一のミキサ２と第二のミキサ３とに入力される。第一及び第二のミキサ２、３には発振器４から局部発振信号が入力されるが、一方のミキサ３には９０°移相器５を介して入力されるので位相は互いに直交して入力される。局部発振信号の周波数は受信された高周波信号のそれと同じである。よって、第一及び第二のミキサ２、３からはそれぞれ位相が互いに直交するベースバンド信号（Ｉ信号／Ｑ信号）が出力される。なお、第一及び第二のミキサ２、３は平衡回路で構成される。
【００１１】
第一のミキサ２から出力されたベースバンドＩ信号はベースバンド増幅器６によって増幅された後ベースバンド処理回路８に入力され、第二のミキサ３から出力されたベースバンドＱ信号もベースバンド増幅器７によって増幅された後ベースバンド処理回路８に入力される。なお、各ベースバンド増幅器６、７の前段側及び後段側にはフィルタ等が介挿されるが図示を省略している。
【００１２】
ベースバンド処理回路８にはベースバンドＩ信号をデジタル信号に変換するＡ／Ｄ変換器８ａ、ベースバンドＱ信号をデジタル信号に変換するＡ／Ｄ変換器８ｂ、二つのデジタル信号の差を演算するための減算器８ｃ等が設けられてデジタル信号が処理される。各Ａ／Ｄ変換器８ａ、８ｂにそれぞれ入力されるベースバンドＩ信号、ベースバンドＱ信号のレベルに差があると、ビットエラーが発生するが、その場合は、ベースバンド処理回路８は入力される各ベースバンド信号のレベル差に対応するレベル補正電圧Ｃを出力する。このレベル補正電圧Ｃはレベル差補正回路１に帰還入力される。
【００１３】
上記の構成におけるレベル差補正回路１は、入力されたレベル補正電圧によって第一のミキサ２に入力される高周波信号のレベルと第二のミキサ３に入力される高周波信号のレベルとを相対的に変えられるように構成されており、その具体回路を図２に示す。
【００１４】
図２において、アンテナからの高周波信号は差動接続された第一及び第二のトランジスタ１１、１２のベース間に平衡入力される。第一のトランジスタ１１のエミッタと第二のトランジスタ１２エミッタとは互いのエミッタが定電流源１３に接続されることで差動接続される。第一のトランジスタ１１のコレクタには第三及び第四のトランジスタ１４、１５のエミッタが接続され、各コレクタはそれぞれの負荷抵抗１６、１７によって給電される。また、第二のトランジスタ１２のコレクタには第五及び第六のトランジスタ１８、１９のエミッタが接続され、各コレクタはそれぞれの負荷抵抗２０、２１によって給電される。
【００１５】
第三のトランジスタ１４のベースと第六のトランジスタ１９のベースとは互いに接続され、また、第四のトランジスタ１５のベースと第五のトランジスタ１８のベースとが互いに接続される。また、第三及び第六のトランジスタ１４、１９の各ベースと第四の及び第五のトランジスタ１５、１８の各ベースとの間にはベースバンド処理回路８から出力された平衡のレベル補正電圧Ｃが入力される。そして、第三のトランジスタ１４のコレクタ（Ａ点）と第五のトランジスタ１８のコレクタ（Ａ′）との間に現れる平衡信号が第一のミキサ２に平衡入力され、第四のトランジスタ１５のコレクタ（Ｂ点）と第六のトランジスタ１９のコレクタ（Ｂ′）との間に現れる平衡信号が第二のミキサ３に平衡入力される。
【００１６】
ここで、レベル補正電圧Ｃが零の場合、すなわち、第三及び第六のトランジスタ１４、１９の各ベースと第四の及び第五のトランジスタ１５、１８の各ベースとが同電位の場合は、Ａ−Ａ′間に現れる高周波信号とＢ−Ｂ′間に現れる高周波信号とは同レベルであるが、第三及び第六のトランジスタ１４、１９の各ベースの電位が第四の及び第五のトランジスタ１５、１８の各ベースの電位よりも高くなると、Ａ−Ａ′間に現れる高周波信号のレベルがＢ−Ｂ′間に現れる高周波信号のレベルよりも大きくなり、逆に、第三及び第六のトランジスタ１４、１９の各ベースの電位が第四の及び第五のトランジスタ１５、１８の各ベースの電位よりも低くなると、Ａ−Ａ′間に現れる高周波信号のレベルがＢ−Ｂ′間に現れる高周波信号のレベルよりも小さくなる。すなわち、第一のミキサ２に入力される高周波信号のレベルと第二のミキサ３に入力される高周波信号とのレベルとがレベル補正電圧Ｃによって相対的に変化する。
【００１７】
この結果、ベースバンド処理回路８に入力されるベースバンドＩ信号とベースバンドＱ信号とは互いに同レベルとなるように制御される。よって、ベースバンド処理回路８における信号処理の過程でビット誤りが無くなる。
【００１８】
【発明の効果】
以上説明したように、本発明では、第一及び第二のミキサの前段に、第一のミキサに入力される高周波信号と第二のミキサに入力される高周波信号との相対的なレベルを変えてベースバンド処理回路に入力される二つのベースバンド信号を互いに同レベルに補正するためのレベル差補正回路を設けたので、ビットエラーを無くすことができる。
【００１９】
また、ベースバンド処理回路からはベースバンド処理回路に入力される二つのベースバンド信号のレベル差に対応したレベル補正電圧を出力し、レベル補正電圧をレベル差補正回路に入力したので、ベースバンド処理回路に入力される二つのベースバンド信号間にレベル差があっても同レベルとなるように自動的に補正されてビットエラーが無くなる。
【００２０】
また、レベル差補正回路は差動接続されると共にベース間に高周波信号が入力される第一及び第二のトランジスタと、エミッタが第一のトランジスタのコレクタに接続された第三及び第四のトランジスタと、エミッタが第二のトランジスタのコレクタに接続された第五及び第六のトランジスタとを有し、第一及び第三のトランジスタの各コレクタから出力される高周波信号を第一のミキサ回路に入力すると共に、第二及び第四のトランジスタの各コレクタから出力される高周波信号を第二のミキサ回路に入力し、第三及び第六のトランジスタの各ベースと第四及び第五のトランジスタの各ベースとの間にレベル補正電圧を入力したので、第一のミキサに入力される高周波信号と第二のミキサに入力される高周波信号との相対的なレベルを変えることができる。
【図面の簡単な説明】
【図１】本発明の直接変換回路の構成を示す回路図である。
【図２】本発明の直接変換回路に使用されるレベル補正回路の具体回路図である。
【図３】従来の直接変換回路の構成を示す回路図である。
【符号の説明】
１  レベル補正回路
２  第一のミキサ
３  第二のミキサ
４  発振器
５  移相器
６、７  ベースバンド増幅器
８  ベースバンド処理回路
８ａ、８ｂ  Ａ／Ｄ変換器
８ｃ  減算器
１１  第一のトランジスタ
１２  第二のトランジスタ
１３  定電流源
１４  第三のトランジスタ
１５  第四のトランジスタ
１６、１７  負荷抵抗
１８  第五のトランジスタ
１９  第六のトランジスタ
２０、２１  負荷抵抗
【図１】
2004289338.tif 000003
【図２】
2004289338.tif 000004
【図３】
2004289338.tif 000005